(57)【特許請求の範囲】
【請求項１】
原寸大の大きさでもって製作した住宅の模型であって、各階を別々に組立てた構造とし、床面から垂直に発泡スチロールから成る柱を起立し、柱間には同じく発泡スチロールから成る壁パネルを取付けて各部屋、トイレ、ダイニングルーム、バスルーム等を仕切って形成し、柱と壁パネルとは連結手段によって互いに連結し、そして床面に起立する発泡スチロール製の柱の下端には安定部材を取付けて垂直に安定して起立し、そして、床面に起立する上記柱の上端にはピンを突出して上に載る発泡スチロール製の梁に食い込ませて位置決めし、さらに、外側に掛架した発泡スチロール製の梁の内側に掛架して設ける発泡スチロール製の内梁は連結金具を介して連結し、該連結金具は金属板を打抜き、梁の内表面に食込むことが出来るように斜め下方へ延びる三角形のツメと内梁の先端に食込むことが出来るように斜め上方へ延びる三角形のツメを形成したことを特徴とする原寸大の住宅模型。
【請求項２】
１階の住宅模型には、縦横方向に複数の発泡スチロール製のブロック版を床面に配列してベースを構成し、該ベースの上に柱及び壁パネルを起立して組立て、柱下端の上記安定部材の代わりにピンを突出し、該ピンをベースの上面に食込んで位置決めした請求項１記載の原寸大の住宅模型。
【請求項３】
施工に先立って依頼主に住宅の模型を展示する方法において、原寸大の大きさでもって模型を製作し、該模型は各階を別々に組立てた構造とし、そこで、床面から垂直に発泡スチロールから成る柱を起立し、柱間には同じく発泡スチロールから成る壁パネルを取付けて各部屋、トイレ、ダイニングルーム、バスルーム等を原寸大で仕切って形成し、柱と壁パネルとは連結手段によって互いに連結し、そして床面に起立する発泡スチロール製の柱の下端には安定部材を取付けて垂直に安定して起立し、そして、床面に起立する上記柱の上端にはピンを突出して上に載る発泡スチロール製の梁に食い込ませて位置決めし、さらに、外側に掛架した発泡スチロール製の梁の内側に掛架して設ける発泡スチロール製の内梁は連結金具を介して連結し、該連結金具は金属板を打抜き、梁の内表面に食込むことが出来るように斜め下方へ延びる三角形のツメと内梁の先端に食込むことが出来るように斜め上方へ延びる三角形のツメを形成し、そして、依頼主は各部屋に入って上記部屋、トイレ、ダイニングルーム、バスルームなどの実際の大きさ及び配置などを確認することが出来るようにしたことを特徴とする住宅模型の展示方法。
【発明の詳細な説明】
【技術分野】
【０００１】
本発明は原寸大の大きさで製作した住宅模型、及び該模型を用いて依頼主に提示する方法に関するものである。
【背景技術】
【０００２】
住宅は個人の要望を取り入れて独自に設計される為に、自動車や家電製品とは異なり完成した住宅を前以て見ることは出来ない。あくまでも設計された図面を基にして完成した住宅の外観や部屋の間取り、ダイニングルーム、トイレ、バスルームなどを想像するしかない。従って、図面を基にして想像した住宅と完成したものとの間には多少を問わず食い違いが存在する。
【０００３】
建築士は依頼者から敷地状況、家族構成、生活時間などの状況、それに住宅に対する要望を聞いた上で設計プランとして配置図、平面図、立面図を作成する。依頼主はこれらの図面を通して自分の希望が満たされているかどうかを検討し、満たされていない場合や新たな希望がある場合には、再度、修正又は作り直しが行われ、これを繰り返して最終的な建物が決定される。
【０００４】
その他に、より立体的な感覚をつかむ為に、パース図(透視図)、アイソメ図、アクソメ図の作成、又３次元ＣＡＤやＣＧ(コンピュータグラフィック)を使って仮想の空間を見たり、一方、縮小された模型を作って確認が行われる。そして、使われる材料や設置される設備機器などに関しては別の展示場や説明資料を用いて確認が行われる。
【０００５】
従来においても、設計図では分からない部分を埋める為の色々な対策は施されている。特開平１０−１５３９６０に係る「住宅形状の多様性視認装置」は、種々多様な住宅配置と間取りと外観が存在し、同じ住宅配置で同じ間取りであっても、異なる外観形状の住宅が建てられることを知ってもらい、これを選択してもらうことにより、より住宅建築予定者とその家族の要望にマッチした設計プランを提示し、住宅建設受注の獲得を容易にする為のものである。
【０００６】
そこで、 住宅設計において、敷地の形状が同じであっても、間取りや屋根構造や建築工法により、多様な外観形状の住宅が建築可能なことを視認可能とする為に、同じ敷地形状で、かつ間取りや外観形状の相違する住宅模型を複数個、並列して配置している。また、住宅設計において、設計上の間取りが同一でありながら、壁材や屋根構造や建築工法の相違などで、多様な外観形状が可能なことを視認させる為に、同じ間取りで外観形状の相違する住宅模型を複数個、並列して配置している。しかし、これは住宅の外観模型に過ぎない。
【０００７】
特開２０００−１８１３４１に係る「住宅体験施設」は、実際の住宅の耐久性、快適性、付帯設備の使い勝手等を把握することができる設備を同一空間内に展示することで、各仕様を総合的に判断できるようにしている。すなわち、展示空間を有する住宅体験施設Ａ内に、住宅の耐久性及び快適性を体験可能にした各種設備を配設している。ここで、各種設備としては、換気システムの換気性能を体験できる設備Ｂ、床部材の防音性能を体験できる設備Ｃ、外壁パネルの性能を体験できる設備Ｄ、セントラルクリーナーの性能を体験できる設備、浴槽またぎ寸法を体験できる設備、ガラスの遮熱効果、断熱効果及び強度を体験できる設備Ｇ，Ｈ、サッシの気密性能を体験できる設備Ｉ、太陽光発電システムの電気の流れを解説する装置Ｋ、このシステムの性能を体感する装置Ｌなどを展示している。
【０００８】
特開２００５−２４６７３号に係る「建築模型製作システム及び建築模型プログラム及び建築模型」は、建築模型製作の工程を合理的に行いコストを抑制することができる建築模型製作システムである。すなわち、実物の住宅を所定の１／５０で縮尺した住宅模型を製作するための建築模型製作システムであって、入力された建築模型用の製図データに基づいて、１／５０の模型製作用図面を作成する手段１２と、この模型製作用図面に基づいて、個々の模型部材の寸法を算出する手段１４と、算出された寸法に基づいて、カッター切断線が付加された模型部材切断用図面を作成する手段１５と、模型部材切断用図面を外部出力するプリンター４と、外部出力された模型部材切断用図面をスチレンボードに貼り付けた後、個々の模型部材を印字されたカッター切断線に沿って切断するカッター２０とを備え、切断されたスチレンボードを組み立てることにより住宅模型を製作する。
【特許文献１】特開平１０−１５３９６０に係る「住宅形状の多様性視認装置」
【特許文献２】特開２０００−１８１３４１に係る「住宅体験施設」
【特許文献３】特開２００５−２４６７３号に係る「建築模型製作システム及び建築模型プログラム及び建築模型」
【発明の開示】
【発明が解決しようとする課題】
【０００９】
このように、住宅の模型に関する文献は色々知られているが、本発明が対象とする内容ではない。家を立てるということは人の一生の中で何回もあることではなく、非常に高額な物件である為に殆どの人は１回限りであると思われる。このような高額な物件を購入するに当って、実際の住宅の間取り空間を体感することなく図面からの想像とバーチャルだけで建設工事に入ることに問題がある。本発明は図面からイメージする住宅と完成する実際の住宅との格差を埋める為に、一般の人が分かるような原寸大の住宅模型を使用して依頼主に提示する。
【課題を解決するための手段】
【００１０】
本発明に係る原寸大の住宅模型は、あくまでも一般の人が図面からではイメージできない間取り、部屋の大きさなどを認識することが出来るように構成される。住宅の外観を認識するものではなく、あくまでも各部屋の間取り、部屋の大きさ、及び使い勝手を認識するものであり、２階建て住宅では１階と２階を別々に作り上げる。３階建て住宅であれば、１階、２階、３階を各々別々に作られる。
【００１１】
住宅の模型を原寸大で製作して依頼主に提示するに際して、過大な費用がかかることがないように、壁パネルと柱を主な部材として組立てることが出来る構造としている。そして、用が済んだならば解体することが出来て、別の住宅模型を製作する際に再利用可能な構造と成っている。例えば、壁パネル及び柱を軽くて扱い易い発泡スチロール製とすることも出来る。そして、これらの部材を用いて住宅模型として組立てることが出来るように適当な連結手段を備えている。ここで、上記柱を使用することなく壁パネルだけで部屋を仕切って構成することも可能である。
【発明の効果】
【００１２】
本発明に係る原寸大の住宅模型は完成する予定の住宅と同じ大きさで製作され、これを依頼主が中に入って観ることが出来る。従って、図面をだけを見てイメージする場合に比較して、実際の大きさで作られた部屋、ダイニングルーム、リビングルーム、バスルーム、トイレなどの大きさを実際に体感することが出来る。従って、完成した住宅との間に、間取り、及び部屋の大きさなどに関してイメージと異なることはなく、後で、手なおしするといった問題が起こることはない。
【００１３】
そして、原寸大の模型は汎用性のある壁パネル、柱、及び浴槽、ダイニングキッチンなどを用いて製作されている為に、用が済んだならば解体して別の住宅模型として組み立てられる。又、各部材は簡単な連結手段を用いて組み立てられる為に、組立て並びに解体も手軽に出来、原寸大の模型を製作しても後での手直しが不要となる為に、トータル的にはコストアップにならない。
【実施例】
【００１４】
図１は完成した住宅の外観図であり、(ａ)正面図、(ｂ)右側面図、(ｃ)左側面図、(ｄ)背面図を夫々表している。この住宅は２階建てとして構成され、正面の左側には玄関が設けられている。これらの図面から住宅の外観に関してはほぼ正確にイメージすることが出来る。希望が後から変わることで修正することはあっても、完成した住宅の外観が当初の図面を基にしたイメージとは異なることで、手直しすることは殆どない。
【００１５】
図２は各階の平面図であり、(ａ)は１階、(ｂ)は２階を表している。これら各平面図から、１階には正面左側に玄関があり、その奥には玄関ホールを有し、玄関の右側には広いダイニングルームがあり、その奥には和室を設けている。さらに、洗面・脱衣室、及び浴室があり、玄関ホールの奥にはトイレを設けている。一方、１階には仏間や押入もある。
【００１６】
２階は３つの洋室が設けられ、コーナーにはトイレがある。そして、ダイニングルームの奥に設けた階段にて１階と２階が繋がっている。このように、各部屋の配置はこれら平面図からほぼ把握することが出来、工事ミスがない限り１階の和室が洋室になったり、トイレがなくなることはない。又、２階の３つの洋室が２つになることもない。従って、住宅の部屋の大まかな配置に関してはこれら平面図から実際の部屋の配置をイメージすることは可能である。
【００１７】
図３は１階のアイソメ図(透視図)、図４は２階のアイソメ図を表している。これらアイソメ図からは、上記図２に示した平面図では理解出来にくい部屋を立体的にとらえることが出来、そして、部屋に設けているドアとの関係が分かる。図３から玄関ホールとダイニングルームとの出入口にはドアが取付けられ、和室とダイニングルームとの間には引戸が設けられている。
【００１８】
しかし、上記アイソメ図から各部屋の広さ及び間取りを正確にイメージすることは一般人にとって容易でない。例えば、ダイニングルームの広さを寸法的には分かっても、該寸法から感覚的にとらえることが出来る広さと実際に完成した部屋の大きさとの間には食い違いが存在し、思ったより狭く感じることも多い。又、ダイニングルームに設置される対面型ダイニングキッチン１と玄関との間を仕切る壁２との空間３の大きさにしても、図面から理解する大きさとの間にズレが生じる。
【００１９】
同じく、ダイニングキッチン１と階段４との間の空間５の大きさ、及びダイニングキッチン１と和室のコーナーに起立する柱６との空間７の大きさに関しても、図面から理解する寸法との間に食い違いが発生する。勿論、その他に、トイレの空間、洗面脱衣室の大きさなどにしても同じような問題が起きる可能性がある。
【００２０】
そこで、本発明では原寸大の模型を製作し、この模型住宅内に実際に入って各部屋(和室、洋室、トイレ、浴室、ダイニングルームなど)の大きさ、又ダイニングキッチン１の周りの各空間３，５，７の大きさを体感することが出来るようにする。従って、完成した住宅において、形成される部屋の大きさやその他の空間に関して、当初のイメージと異なることはない。
【００２１】
ところで、本発明の原寸大の住宅模型は、簡素な壁パネル及び柱を組み立てて構成される。しかも、組立て並びに解体が簡単に出来るような簡易な連結手段を備えている。また、大部分の部材は他の住宅模型に再利用することが出来るような形態としている。
【００２２】
図５は１階部分の住宅模型であり、図６は２階部分の住宅模型を表している。該住宅模型は原寸大と成っていて、ベース８、壁パネル９，９・・、柱１０，１０・・、梁１１，１１・・などの部材を組み立てて構成されている。ここで、上記部材の材質は特に限定しないが、例えば軽くて扱い易い発泡スチロールを材質として構成することも可能である。又、壁パネルとしてはベニヤ板やダンボールを使用することもある。
【００２３】
上記ベース８は発泡スチロール製の複数のブロック版を縦横方向に配列し、そして分離しないように連結される。連結手段としては接合面を両面テープにて固着することが出来る。又、図７に示しているように、ベース外側に側板１３を当て、床面１４に起立した金具１５をストッパーとして押えボルト１６にて外方向から押圧することで縦横に配列した発泡スチロール製のブロック版１２，１２・・は位置ズレすることなく固定される。
【００２４】
ここで、上記金具１５，１５・・は展示場の床面１４の所々に取付けられ、不要なときには床面と同一面になるように収納され、必要な時に起立させることが出来る構造となっている。従って、ベース８の大きさに応じて適当な箇所の金具１５，１５・・を起立して使用することが出来る。
【００２５】
このベース８の上に柱１０，１０・・が垂直に起立し、そして柱１０，１０・・の間には壁パネル９，９・・が起立している。そして、柱１０，１０・・の上端には梁１１，１１・・が載って水平に掛架している。図８は柱１０の具体例であり、その上下面１７，１８には円錐形のピン１９，１９・・が突出している。従って、ベース８に載せて起立するならば、下面１８のピン１９，１９・・はベース８の上面に食い込んで位置決めされる。
【００２６】
そして、上端に梁１１を載せるならば、上面１７のピン１９は発泡スチロール製の梁１１に食い込んで位置決めされる。又、壁パネル９は柱１０，１０の間に嵌って起立しているが、両面テープを介してベース８、及び柱１０，１０と連結することが出来る。勿論、他の連結方法を採用してもよい。壁パネル９の下面及び上面にも柱１０と同じくピン１９，１９・・を突出させることが出来る。
【００２７】
壁パネル９と柱１０との連結手段としては、例えば壁パネル９の側端面からピンと突出し、このピンを柱側面に食い込ませることも可能であり、逆に柱１０の側面から突出したピン１９，１９・・が壁パネル９の側端面に食い込むようにすることも出来る。ここで、柱１０の側面に穴を形成した金具を所定の高さに埋着し、同じく壁パネル９の側端面にも穴を形成した金具を埋着しておき、該穴にピンを嵌めて柱１０と壁パネル９を連結することが出来る。そして、外側に掛架した梁１１，１１・・の内側に掛架して設けている内梁２０，２０・・はツメを介して手軽に連結することが出来る。
【００２８】
図９(ａ)は連結金具２１を示し、(ｂ)は該連結長具２１を用いて梁１１と内梁２０とが連結している場合を表している。金属板を打抜いて製作した連結金具２１には斜め下方へ延びるツメ２２ａ，２２ａと斜め上方へ延びるツメ２２ｂを有し、ツメ２２ａ，２２ａは梁１１の内表面に食い込んで固定され、内梁２０の先端はツメ２２ｂに食い込んで係止する。発泡スチロール製の梁１１及び内梁２０には三角形のツメ２２ａ，２２ａ，２２ｂが容易に食い込むことが出来る。
【００２９】
そして、各部屋を仕切るその他の壁パネル９，９・・及び柱１０，１０・・も同様に起立して所定の位置に配置され、実際の住宅と同じ間取りが模型として構成される。図６に示す２階部分にはベース８に相当するものはなく、各柱１０，１０・・を展示場の床面に直接起立し、壁パネル９，９・・は柱１０，１０・・の間に挟まれて取付けられる。各柱１０，１０・・の上端に載って掛架される梁１１，１１・・及び梁１１，１１・・に跨って掛架する内梁２０，２０・・の取付け構造は１階部分の場合と同じようにする。
【００３０】
ところで、柱１０を床面に起立させるために、発泡スチロール製の柱下端に金属などからなる安定部材を取付けることが出来る。軽い発泡スチロール製の柱１０に対して、その下端に設けた安定部材は重くなり、柱１０は転倒することなく垂直に安定して起立する。床面には縦横方向に一定間隔で基準線を形成しておくならば、該基準線を基にして柱１０，１０・・を起立することが出来る。壁パネル９の下端にも柱１０と同じく安定部材を取付けることで転倒することなく起立できる。柱１０と壁パネル９との連結手段は前記１階部の場合と同じように構成できるが、重りとなる安定部材を壁パネル９の下端に取付けることで、柱１０との連結手段が用いなくて転倒しない。
【００３１】
図５に示した模型では、１階部にベース８を用い、該ベース８の上に柱１０，１０・・及び壁パネル９，９・・を起立した構造としているが、上記ベース８を用いないで、各柱１０，１０・・及び壁パネル９，９・・を直接床面に起立させる場合もある。
【図面の簡単な説明】
【００３２】
【図１】住宅の外観図。
【図２】住宅の平面図。
【図３】１階のアイソメ図。
【図４】２階のアイソメ図。
【図５】本発明の住宅模型であって、１階部分。
【図６】本発明の住宅模型であって、２階部分。
【図７】複数のブロック版を配列して構成されるベースの具体例。
【図８】柱の具体例。
【図９】梁と内梁を連結する連結金具、及び該金具を使用した連結構造。
【符号の説明】
【００３３】
１  ダイニングキッチン
２  壁
３  空間
４  階段
５  空間
６  柱
７  空間
８  ベース
９  壁パネル
10  柱
11  梁
12  ブロック版
13  側板
14  床面
15  金具
16  押えボルト
17  上面
18  下面
19  ピン
20  内梁
21  連結金具
22  ツメ
【図１】
0004714587.tif 000002
【図２】
0004714587.tif 000003
【図３】
0004714587.tif 000004
【図４】
0004714587.tif 000005
【図５】
0004714587.tif 000006
【図６】
0004714587.tif 000007
【図７】
0004714587.tif 000008
【図８】
0004714587.tif 000009
【図９】
0004714587.tif 000010